(57)【要約】【課題】  インクミストによる記録用紙（媒体）の裏面の汚れを回避しつつ、記録用紙（媒体）の浮き上がりを防止するプラテン、及び、当該プラテンを備えた記録装置と液体噴射装置とを提供することにある。【解決手段】  記録用紙３００を支持する面に、上流リブ６３３ａ〜ｎ、下流リブ６３４ａ〜ｎが所定の間隔で配設され、記録用紙３００の側端を支持する下流リブ６３４ａ、６３４ｈ、６３４ｊ、６３４ｋ、６３４ｍ、６３４ｎのリブ幅が、他の下流リブの幅より広く形成されていることを特徴とする。これにより、下流リブ６３４ａ、６３４ｈ、６３４ｊ、６３４ｋ、６３４ｍ、６３４ｎと記録用紙３００の裏面との隙間を排除することで、インクミスト等による記録用紙３００の裏面の汚れを回避しつつ、記録用紙３００の浮き上がりを防止することが可能である。【選択図】  図９
2006192843.tif 000002
【特許請求の範囲】
【請求項１】
媒体を支持し、該媒体の位置を規定するプラテンであって、
前記媒体を支持する面に、複数のリブが所定の間隔で配設され、
前記媒体の側端を支持する側端リブの幅が、他のリブの幅より広く形成されていることを特徴とするプラテン。
【請求項２】
媒体にインク滴を吐出する記録ヘッドと対向して配設され、
前記媒体を支持し、
前記媒体と前記記録ヘッドとの隙間を規定するプラテンであって、
前記記録ヘッドと対向するプラテン面に、前記媒体の端部から外れたインク滴を打ち捨てる打ち捨て溝穴が形成され、
前記プラテン面に、複数のリブが所定の間隔で配設され、
前記媒体の側端を支持する側端リブの幅が、他のリブの幅より広く形成されていることを特徴とするプラテン。
【請求項３】
前記側端リブの幅は、前記媒体の波打ち形状に対応していることを特徴とする請求項１又は２に記載のプラテン。
【請求項４】
前記媒体を吸引する吸引孔が前記複数のリブの各頂面に形成され、
前記側端リブは、前記媒体の中央側へ偏った位置に前記吸引孔が形成され、
前記他のリブは、頂面の中央に前記吸引孔が形成されていることを特徴とする請求項１乃至３に記載のプラテン。
【請求項５】
前記吸引孔が略等間隔に形成されていることを特徴とする請求項４に記載のプラテン。
【請求項６】
被記録媒体に記録する記録装置であって、
請求項１乃至５に記載のプラテンを備えたことを特徴とする記録装置。
【請求項７】
被噴射媒体に液体を噴射する液体噴射装置であって、
請求項１乃至５に記載のプラテンを備えたことを特徴とする液体噴射装置。
【発明の詳細な説明】
【技術分野】
【０００１】
本発明は、媒体を支持し、媒体と記録ヘッドとの隙間を規定するプラテンに関し、特に、媒体を支持する複数のリブが形成されたプラテンに関する。また、該プラテンを備えた記録装置と液体噴射装置とに関する。
【背景技術】
【０００２】
例えば、記録装置の１つであるインクジェット式プリンタ（以下、「プリンタ」という）は、被記録媒体の１つとしての記録用紙に向かってインク滴を吐出する複数のノズル列を有する記録ヘッドと、記録用紙を支持して該記録ヘッドに対する記録用紙の位置を規定するプラテンとを有する。記録用紙への記録では、記録用紙が該プラテンに支持された状態で、ノズル列から記録用紙へインク滴が吐出される。
【０００３】
ところで、一般的に紙は、吸湿等により反り易いという性質があり、特に大型のサイズ、例えば、ＪＩＳ規格のＡ０判やＪＩＳ規格のＢ０判等の幅広のロール紙に反りが生じている場合、プラテン上で浮き上がりが生じ易く、印刷精度が維持できない虞がある。そこで、記録用紙を下から吸引する吸引孔をプラテン等に配設し、記録時における記録用紙の浮き上がりを防止して、記録精度を高精度に維持するプリンタが、例えば、特許文献１に記載されている。  
【特許文献１】特開２００２−２０５８５４号公報
【発明の開示】
【発明が解決しようとする課題】
【０００４】
上述したようなプリンタにおいて、近年、記録用紙に余白無く記録を行う、いわゆる縁無し記録を実行可能なものが登場している。縁無し記録を実行可能なプリンタでは、上記プラテンの上面（記録ヘッドと対向する面。以下、「プラテン面」という）にインク打ち捨て用の溝穴（以下、「インク打ち捨て溝穴」という）が形成されている。該インク打ち捨て溝穴は、プラテン面において主走査方向（記録ヘッドの移動方向）に延びるように形成された溝穴（以下、「横溝穴」という）と、記録用紙の側端に位置する部分に局在するように配設される溝穴（以下、「縦溝穴」という）とからなる。例えば、記録用紙の始端（先端）が横溝穴の上方に位置した時に、記録用紙の始端から外れた領域にもインク滴を吐出することにより、始端の縁無し記録が行われる。つまり、当該インク打ち捨て溝穴に、インクを打ち捨てつつ縁無し記録を実行する。
【０００５】
ところで、このような縁無し記録を実行可能なプリンタ（以下、「縁無しプリンタ」という）においても、記録用紙がプラテン上で浮き上がると、印刷精度が維持できないという問題が生じる。そこで、上記特許文献１に記載されているプリンタと同様に、記録用紙を下から吸引する吸引孔をプラテン等に配設することにより、記録用紙の浮き上がりを防止することが可能である。しかし、縁無しプリンタの場合、特に縁無し記録を実行中に発生するインクミストが吸引孔に吸引され、吸引孔やその周辺、又は、記録用紙の裏面に付着する虞が生じる。インクミストが付着すると記録用紙の裏面を汚すことになり、両面記録を行えない等の問題が生じる。
【０００６】
本発明は、上記のような種々の課題に鑑みなされたものであり、その目的は、インクミストによる記録用紙（媒体）の裏面の汚れを回避しつつ、記録用紙（媒体）の浮き上がりを防止するプラテン、及び、当該プラテンを備えた記録装置と液体噴射装置とを提供することにある。
【課題を解決するための手段】
【０００７】
上記目的達成のため、本発明のプラテンでは、媒体を支持し、該媒体の位置を規定するプラテンであって、前記媒体を支持する面に、複数のリブが所定の間隔で配設され、前記媒体の側端を支持する側端リブの幅が、他のリブの幅より広く形成されていることを特徴としている。これにより、側端リブの端部と前記媒体の裏面とを当接させ、インクミスト等による記録用紙の裏面の汚れを回避しつつ、所定の間隔で配設された複数のリブによって、前記媒体の浮き上がりを防止することが可能である。
【０００８】
また、本発明のプラテンでは、媒体にインク滴を吐出する記録ヘッドと対向して配設され、前記媒体を支持し、前記媒体と前記記録ヘッドとの隙間を規定するプラテンであって、前記記録ヘッドと対向するプラテン面に、前記媒体の端部から外れたインク滴を打ち捨てる打ち捨て溝穴が形成され、前記プラテン面に、複数のリブが所定の間隔で配設され、前記媒体の側端を支持する側端リブの幅が、他のリブの幅より広く形成されていることを特徴としている。これにより、特に縁無し記録を実行中に多く発生するインクミストが側端リブと前記媒体の裏面との隙間から進入することを防止し、インクミストによる前記媒体の裏面の汚れを回避し、且つ、所定の間隔で配設された複数のリブによって、前記媒体の浮き上がりを防止することが可能である。
【０００９】
また、本発明のプラテンでは、前記側端リブの幅は、前記媒体の波打ち形状に対応していることを特徴としている。これにより、前記側端リブと前記媒体とを確実に当接させることが可能である。
【００１０】
また、本発明のプラテンでは、前記媒体を吸引する吸引孔が前記複数のリブの各頂面に形成され、前記側端リブは、前記媒体の中央側へ偏った位置に前記吸引孔が形成され、前記他のリブは、頂面の中央に前記吸引孔が形成されていることを特徴としている。これにより、前記媒体は前記吸引孔により吸引されるので前記媒体の浮き上がりを効果的に防止することが可能である。更に、前記側端リブには、前記媒体の中央側へ偏った位置に前記吸引孔が形成されているので、前記吸引孔がインクミストに及ぼす影響を低減させることが可能である。
【００１１】
また、本発明のプラテンでは、前記吸引孔が略等間隔に形成されていることを特徴としている。これにより、前記媒体の浮き上がりをより効果的に防止することが可能である。
【００１２】
上記目的達成のため、本発明の記録装置では、被記録媒体に液滴を吐出して記録する記録装置であって、上記各液体誘導部を備えたことを特徴としている。また、上記目的達成のため、本発明の液体噴射装置では、被噴射媒体に液体を噴射する液体噴射装置であって、上記各液体誘導部を備えたことを特徴としている。これにより、上記各作用効果を奏する記録装置または液体噴射装置を提供することができる。
【発明を実施するための最良の形態】
【００１３】
以下、本発明に係るプラテンの一実施形態として、記録装置の１つであるインクジェット式プリンタに用いられているプラテンについて、図１乃至図１２を参照しながら説明する。なお、以下に説明する実施形態は特許請求の範囲にかかる発明を限定するものではなく、また実施形態の中で説明されている特徴の組み合わせの全てが発明の解決手段に必須であるとは限らない。
【００１４】
図１は、本発明の一の実施形態に係るインクジェット式プリンタ１００の外観構成の全体を斜め前方から見た斜視図である。先ず、インクジェット式プリンタ１００の概略より説明する。
【００１５】
このインクジェット式プリンタ１００は、例えばＪＩＳ規格のＡ４判からＪＩＳ規格のＡ２判といった比較的大型のサイズのいわゆるカットされた用紙及びロール状の用紙に記録できる卓上型の大型のプリンタであり、全体が幅方向（図１の左右方向）に長く延びる略直方体状のハウジング１で覆われている。
【００１６】
このハウジング１の上面には、矩形状の窓部２が形成されている。この窓部２は、透明又は半透明の窓カバー３によって覆われている。窓カバー３は、その上部の回動軸を中心に図示矢印Ａ方向に回動可能に取り付けられている。ユーザは、窓カバー３の下部を持ち上げて窓部２を開放することにより、窓部２を通して内部機構のメンテナンス作業等を行うことができる。
【００１７】
ハウジング１の前面両側には、複数のインクカートリッジが抜き差しされるカートリッジ収納部４、４がそれぞれ形成されている。各インクカートリッジは、記録用の各色のインクを貯留している。カートリッジ収納部４、４は、透明又は半透明のカートリッジカバー５、５によって覆われている。カートリッジカバー５、５は、その下部の回動軸を中心に図示矢印Ｂ方向に回動可能に取り付けられている。ユーザは、カートリッジカバー５、５を軽く押して係止部を外しカートリッジ収納部４、４を開放することにより、インクカートリッジの交換作業等を行うことができる。
【００１８】
ハウジング１の前面右側のカートリッジ収納部４の上部には、プリンタ動作を指示する操作部１０が配設されている。操作部１０は、パワーをオン・オフするパワー系、用紙の頭出し等を操作したりインクのフラッシング等を操作する操作系、画像処理等を行う画像処理系等のボタン１１と、状態を表示する液晶パネル１２等を備えている。ユーザは、液晶パネル１２を見て確認しながらボタン１１を操作することができる。
【００１９】
ハウジング１の前面右側のカートリッジ収納部４の下部には、廃液タンク２０が抜き差しされるタンク収納部６が形成されている。この廃液タンク２０は、記録ヘッド６２（図２参照）のクリーニング処理時やインクカートリッジの交換時に廃棄された廃インク等を貯留する。ユーザは、廃液タンク２０を引き出すことにより、内部に溜まっている廃インクの廃棄作業等を行うことができる。
【００２０】
ハウジング１の背面には、ロール状の用紙を給紙する給紙部３０が上部後方に突き出るように配設されている。給紙部３０の内部には、１本のロール状の用紙がセット可能な図示しないロール紙ホルダが配設され、給紙部３０の前面には、跳ね上げ式の開閉可能なロール紙カバー３１が図示しないロール紙ホルダを覆うように取り付けられている。ユーザは、ロール紙カバー３１を持ち上げて給紙部３０を開放することにより、ロール状の用紙の取り付け・取り外し作業等を行うことができる。なお、ロール紙カバー３１の上面は、カットされた用紙を手差しで給紙案内することが可能な給紙案内面に形成されている。
【００２１】
ハウジング１の前面中央、すなわち一対のカートリッジ収納部４、４の間には、記録前のカットされた用紙、及び、記録後のカットされた用紙又はロール状の用紙を積載する給排紙トレイ２００が抜き差しされる給排紙部４０が形成されている。なお、この給排紙部４０は、搬送時に折り曲げることが不可能な厚手の用紙を手差しで給紙することが可能なようにも形成されている。
【００２２】
この給排紙部４０には、図１に示すように、給排紙トレイ２００の後方部が差し込まれ、前方部が前に突き出るようにして、給排紙トレイ２００が固定される。給排紙トレイ２００は、カセット型に形成されており、内部に記録前の給紙されるカットされた用紙が積層収納され、上部に記録後の排紙されるカットされた用紙又はロール状の用紙が積層載置されるようなっている。
【００２３】
次に、インクジェット式プリンタ１００の内部構成について、図２〜図５を参照して、説明する。
【００２４】
図２は、図１のインクジェット式プリンタ１００の内部構成の概略を示す断面側面図である。図３は、本発明に係るプラテン６３を中心とした部分を拡大して示す断面側面図である。図４は、インクジェット式プリンタ１００の前面側からプラテン６３及びその周辺部を見た状態を示す斜視図である。図５は、プラテン６３及びその周辺部を示す平面図である。なお、図中に示す矢印Ｄは、後述する記録用紙３００の搬送方向を示す（以下、同様）。
【００２５】
図２に示すように、ハウジング１内には、給排紙部４０と、搬送部５０と、記録部６０等とが配設されている。以下、給排紙部４０、搬送部５０、記録部６０について、図２を主に参照しながら、順次説明していく。
【００２６】
先ず、給排紙部４０には、カットされた用紙を給紙するためのホッパ４１、給紙ローラ４２及び分離部４３等が配設されている。
【００２７】
ホッパ４１は、カットされた用紙が載置可能な平板状に形成されており、一端が給紙ローラ４２と分離部４３の近傍に位置し、他端が装着されている給排紙トレイ２００の給紙部２１０の底面に近接して位置するように配設されている。そして、ホッパ４１は、一端側の裏面にハウジング１の底面に一端が取り付けられた圧縮バネ４４の他端が取り付けられており、この圧縮バネ４４の伸縮により他端側を中心に一端側が旋回するように配設されている。
【００２８】
給紙ローラ４２は、断面の一部が切り欠かれたＤ字状に形成されており、間欠的に回転してホッパ４１上のカットされた用紙を摩擦搬送するようになっている。分離部４３は、給紙ローラ４２によりカットされた用紙が重送されたときに下層のカットされた用紙を最上層のカットされた用紙から摩擦分離するようになっている。
【００２９】
搬送部５０には、用紙を搬送するためのサブローラ５１とその従動ローラ５２ａ、５２ｂ、５２ｃ、紙送りローラ５３とその従動ローラ５４、排紙ローラ５５とギザローラ５６及び用紙を検知する検知センサ５７ａ、５７ｂ等が配設されている。サブローラ５１は、給紙トレイ２１０から給紙されるカットされた用紙を排紙トレイ２３０に排紙するために、カットされた用紙を従動ローラ５２ａ、５２ｂ、５２ｃとともに挟持してＵ字状に反転搬送させるようになっている。また、サブローラ５１は、給紙部３０から給紙されるロール状の用紙を排紙部２３０に排紙するために、ロール状の用紙を従動ローラ５２ｃとともに挟持して搬送させるようになっている。
【００３０】
紙送りローラ５３は、図４に示すように、細長い円筒又は円柱状のロールで、インクジェット式プリンタ１００の幅方向と平行に、回転可能に支持されている。この紙送りローラ５３は、図示しない紙送り駆動装置の駆動によって回転し、反転搬送されてきたカットされた用紙又は給紙されてくるロール状の用紙（以下、「記録用紙３００」という）を、従動ローラ５４とともに挟持してプラテン６３へ送り出すようになっている。従動ローラ５４は、図５に示すように、短い複数のロールからなり、各ロールが従動ローラ支持部材５４ａに回転自在に支持されている（図３参照）。そして、従動ローラ支持部材５４ａが揺動することにより、従動ローラ５４は紙送りローラ５３と当接又は離間する。
【００３１】
図３〜図５に示す排紙ローラ５５、５５は、プラテン６３上を通過してくる記録用紙３００をギザローラ５６、５６とともに挟持して排紙トレイ２３０上へ排紙するようになっている。この排紙ローラ５５、５５は、図４及び図５に示すように、短いロールであって、紙送りローラ５３と平行に支持された２本の排紙ローラ軸５５ａ、５５ａに軸通され、固定されている。排紙ローラ軸５５ａ、５５ａは、図示しない排紙ローラ駆動装置の駆動によって回転し、排紙ローラ５５、５５も排紙ローラ軸５５ａ、５５ａとともに回転する。記録用紙３００をギザローラ５６、５６とともに挟持した排紙ローラ５５、５５が回転することで、記録用紙３００を排紙トレイ２３０上へ排紙する。
【００３２】
また、図２に示す検知センサ５７ａは、給紙されてくるカットされた用紙のスキュー取りの際の搬送量を検知するようになっている。検知センサ５７ｂ（図２参照）は、反転搬送されてくるカットされた用紙又は搬送されてくるロール状の用紙の頭出しの際の搬送量を検知するようになっている。
【００３３】
次に、図２に示す記録部６０は、キャリッジ６１と、記録ヘッド６２と、本発明に係るプラテン６３と、廃液トレイ６５と、吸引部６７等とを備える。キャリッジ６１は、図示しないキャリッジベルトに連結されており、図示しないキャリッジ駆動装置によってキャリッジベルトが作動すると、キャリッジベルトの動きに連行され、図示しないガイド軸に案内されてインクジェット式プリンタ１００の幅方向（図２及び図３における紙面に対する直交方向）に往復移動する。
【００３４】
記録ヘッド６２は、キャリッジ６１の下部においてプラテン６３の上面に供給される記録用紙３００と所定の間隔（ギャップ）を保持して対向するように配設されており、例えば、２種類のブラックインクを吐出する複数のブラックインク用ノズルと、イエロー、ダークイエロー、シアン、ライトシアン、マゼンタ、ライトマゼンタの６色のインクをそれぞれ吐出する複数のカラーインク用ノズルとを備える。これらのノズルにより、複数のノズル列が記録ヘッド６２に形成される。そして、記録ヘッド６２の各ノズルは、図示しない圧力発生室に繋がれており、圧力発生室内にインクを貯留して所定圧で加圧することにより、複数のノズルから記録用紙３００に向けてコントロールされた大きさのインク滴が吐出される。
【００３５】
次に、図２に示す本発明に係るプラテン６３は、キャリッジ６１の下方に、記録ヘッド６２と対向するように配設されている。そして、プラテン６３は、図３〜図５に示すように、その上部（後述するプラテン本体６３０）が、主走査方向に細長く延びた矩形平板状に形成されている。また、プラテン６３の上面（プラテン面）には、後述する、複数のリブ（上流リブ６３３、下流リブ６３４）、吸引孔６３５、打ち捨て溝穴６３２等が形成されている(図８参照)。そして、打ち捨て溝穴６３２内にはインク吸収材６４が充填装着されている。
【００３６】
上述したように、プラテン６３は、プラテン面に供給される記録用紙３００を、該記録用紙３００と記録ヘッド６２との隙間が均一となるように、支持する。なお、本発明に係るプラテン６３の詳細については、後で説明することとする。
【００３７】
プラテン６３の下方には、図２及び図３に示すように、吸引部６７が配設されている。続いて、当該吸引部６７について、図６を参照して説明する。
【００３８】
図６は、吸引部６７を示す斜視図である。吸引部６７は、吸引装置６７ａと、該吸引装置６７ａに連通する吸引通路６７ｂとを備える。吸引装置６７ａは図示しないファンを有し、当該ファンを回転させることにより吸引を行う。吸引通路６７ｂは、吸引装置６７ａから主走査方向に直線状に延び、その上部が開口された空気の通路である。そして、この吸引通路６７ｂの開口された上部をプラテン６３の下面で塞ぐように、吸引部６７はプラテン６３の下方に配設されている（図３参照）。プラテン６３には複数の吸引孔６３５(図８参照)が穿設されており、これらの吸引孔６３５と吸引通路６７ｂとは連通している。このように、吸引孔６３５と、吸引通路６７ｂと、吸引装置６７ａとが連通しているので、吸引装置６７ａのファンを回転させることにより、プラテン６３に設けられた吸引孔６３５から吸引通路６７ｂ内に吸気がされ、吸気された空気は吸引装置６７ａを通って外部に排気される。これにより、プラテン６３の上面に記録用紙３００が供給されると、記録用紙３００の下面側に負圧が発生するので、記録用紙３００をプラテン面に吸着させて記録用紙３００の浮き上がりを防止することができ、記録精度を高精度に維持することが可能である。
【００３９】
プラテン６３及び吸引部６７の下方には、図２〜図４に示すように、廃液部としての廃液トレイ６５が配設されている。廃液トレイ６５は、図４に示すように、引き出し可能に配設された主走査方向に延びる細長の箱型トレイで、縁無し記録の際に打ち捨てられた廃インクを貯留する。廃液トレイ６５の内部には、インクを吸収して貯留する廃液吸収材６６が充填装着されている。すなわち、縁無し記録の際にプラテン６３の打ち捨て溝穴６３２内に打ち捨てられたインクは、図示しない打ち捨てインク通路を経由して廃液トレイ６５へ誘導され、廃液吸収材６６に吸収された状態で廃液トレイ６５内に貯留される。
【００４０】
次に、本発明に係るプラテン６３について、図７乃至図１２を参照して詳細に説明する。
【００４１】
図７は、プラテン６３を示す斜視図である。図８は、プラテン６３を示す平面図である。プラテン６３は、主走査方向に延びる細長略矩形平板状に形成されたプラテン本体６３０と、プラテン本体６３０の搬送方向上流側の下端より垂直下方向に延びるプラテン垂直部６３１（図７参照）より略構成される。プラテン本体６３０には、縁無し記録の際に記録用紙３００の紙端より外れたインク滴を打ち捨てる打ち捨て溝穴６３２が形成され、打ち捨て溝穴６３２内には前述したようにインク吸収材６４が充填されるように装着される。また、プラテン垂直部６３１には、打ち捨て溝穴６３２と連通した図示しない打ち捨てインク通路が形成され、打ち捨てインク通路内にもインク吸収材６４が充填される。インク吸収材６４は、打ち捨てられたインク滴を素早く吸収する。なお、図７、図８に示すプラテン６３は、インク吸収材６４が充填装着されていない状態のものである。
【００４２】
ここで、縁無し記録の際に発生するインクミストについて説明する。前述したように、縁無し記録は、記録用紙３００の紙端から外れた領域（以下、「縁無し記録領域」という）において、打ち捨て溝穴６３２にインク滴を打ち捨てながら記録用紙３００に余白なく記録を実行するものである。縁無し記録ではない、記録用紙３００への通常の記録では、記録用紙３００と記録ヘッド６２との隙間（ペーパーギャップ）（以下、「ＰＧ」という）は所定の距離に保持されているので、記録ヘッド６２のノズルより吐出されたインク滴は記録用紙３００の表面に付着する。一方、縁無し記録領域では、記録ヘッド６２とインク吸収材６４の表面（上面）との距離がＰＧより大きいために、記録ヘッド６２のノズルより吐出された特に微小なインク滴は、インク吸収材６４に到達せずに、空気中に浮遊してインクミストとなる。また、インク吸収材６４が充填装着されていない打ち捨て溝穴６３２の場合、記録ヘッド６２と打ち捨て溝穴６３２の表面（上面）との距離が更に大きくなり、インクミストの発生が多くなる。更に、インク滴が打ち捨て溝穴６３２の表面と衝突することによるインクミストの発生の虞も生じる。このようにして発生したインクミストは、例えば、記録用紙３００の裏面側に回り込んで付着して記録用紙３００の裏面を汚し、又は、プリンタの駆動部品に付着して正常な記録動作を妨げる等の問題を生じさせる虞がある。
【００４３】
打ち捨て溝穴６３２は、プラテン本体６３０の記録ヘッド６２と対抗する側、すなわち、プラテン面側に形成され、主走査方向に細長く延びる横溝穴６３２ａと、横溝穴６３２ａから直交方向（搬送方向Ｄ）へ僅かに延びる縦溝穴６３２ｂ（６３２ｂ１〜ｂ６）とからなる（図８参照）。横溝穴６３２ａは、プラテン本体６３０の搬送上流側にプラテン本体６３０と平行に形成され、主に、記録用紙３００の始端（先端）及び後端の縁無し記録の際に、記録用紙３００の始端、後端から外れたインク滴が打ち捨てられる溝穴である。また、横溝穴６３２ａの底部には、図示しない打ち捨てインク通路に連通する複数の誘導孔６３６（図８参照）が形成されている。
【００４４】
一方、縦溝穴６３２ｂは、記録用紙３００の両側端に対応する位置に局在的に配設され、記録用紙３００の側端の縁無し記録の際に、記録用紙３００の両側端から外れたインク滴が打ち捨てられる溝穴である。本実施形態におけるプラテン６３には、記録可能な記録用紙３００の種類に対応した、６つの縦溝穴６３２ｂ１〜ｂ６が形成されている。ここで、図７、図８における右端に配設された縦溝穴６３２ｂ１が基準となる縦溝穴であって、記録用紙３００の種類に関わらず、常に、記録用紙３００の一側端より外れたインク滴が打ち捨てられる。すなわち、記録用紙３００は、常に一側端が縦溝穴６３２ｂ１の上方に位置し、他の側端が縦溝穴６３２ｂ２〜ｂ６のいずれかの上方に位置するように給送される。このように、本実施形態におけるプラテン６３では、縦溝穴６３２ｂ１と縦溝穴６３２ｂ２とを使用した最小幅の縁無し記録から、縦溝穴６３２ｂ１と縦溝穴６３２ｂ６とを使用した最大幅の縁無し記録まで、５つの用紙幅に対応した縁無し記録を実行することが可能である。
【００４５】
また、図７に示すように、プラテン６３のプラテン面には、横溝穴６３２ａを挟み搬送方向Ｄと平行に延びる複数のリブ（上流リブ６３３ａ〜ｎ、下流リブ６３４ａ〜ｎ）が所定の間隔を有して配列されている。横溝穴６３２ａより搬送上流側に形成されたリブが上流リブ６３３（６３３ａ〜ｎ）で、搬送下流側に形成されたリブが下流リブ６３４（６３４ａ〜ｎ）である。上流リブ６３３、下流リブ６３４（以下、両方をあわせて「リブ６３３、６３４」という）は、主走査方向の断面が略台形状であってレール状に形成されている。また、下流リブ６３４ａ〜ｎの各頂面には、上述した吸引通路６７ｂに連通した吸引孔６３５ａ〜ｎ（図８参照）が形成されている。これらの吸引孔６３５ａ〜ｎは、横溝穴６３２ａより搬送下流側に、主走査方向に並ぶように配設されている。前述したように、吸引装置６７ａのファンを回転させることにより吸引孔６３５ａ〜ｎに負圧を発生させてプラテン６３上の記録用紙３００を下流リブ６３４ａ〜ｎの頂面に吸着させて記録用紙３００の浮き上がりを防止する。なお、本実施形態においては、下流リブ６３４ａ〜ｎの各頂面に吸引孔６３５を形成しているが、吸引孔６３５を下流リブ６３４ａ〜ｎの各頂面の他に下流リブ６３４ａ〜ｎ間の凹部にも形成してもよい。
【００４６】
次に、本発明の特徴部分について、図８乃至図１２を参照して、詳細に説明する。
【００４７】
図９は、図８に示すプラテン６３の右側端周辺を示す平面図である。図１０は、図９におけるＸ−Ｘ線矢視図であって、プラテン６３の一部分を示す断面図である。
【００４８】
図９に示すように、本実施形態に係るプラテン６３では、右側端付近に基準となる縦溝穴６３２ｂ１が形成されている。縦溝穴６３２ｂ１の右方向には、インクミストを吸引するミスト吸引孔６３９が形成されている。このミスト吸引孔６３９は、吸引通路６７ｂに連通し、縦溝穴６３２ｂ１上方を浮遊するインクミストを吸引する。
【００４９】
縦溝穴６３２ｂ１の左隣には、下流リブ６３４ａが形成されている。上述したように、記録用紙３００の一側端が縦溝穴６３２ｂ１の上方に位置するように給送されるので、下流リブ６３４ａが記録用紙３００の当該側端を支持する（図１１参照）。下流リブ６３４ａの左方向には所定のピッチ（間隔）で下流リブ６３４ｂ、下流リブ６３４ｃ、下流リブ６３４ｄ、下流リブ６３４ｅ、下流リブ６３４ｆ、下流リブ６３４ｇ、下流リブ６３４ｈと形成されている（図８参照）。下流リブ６３４ａには、その頂面から前述した吸引通路６７ｂに貫通して延びる吸引孔６３５ａが形成され、同様に、下流リブ６３４ｂ〜６３４ｈにも、吸引孔６３５ｂ〜６３５ｈが形成されている。ここで、本実施形態に係るプラテン６３は、縦溝穴６３２ｂ１に並設された、すなわち、記録用紙３００の側端を支持する下流リブ６３４ａの頂面の幅（主走査方向の幅で、以下「リブ幅」という）が下流リブ６３４ｂのリブ幅より広く形成されている（図９、図１０参照）。なお、下流リブ６３４ｃ〜６３４ｇのリブ幅は下流リブ６３４ｂと同一で、縦溝穴６３２ｂ２に並設された下流リブ６３４ｈのリブ幅は、下流リブ６３４ａと同一である（図８参照）。下流リブ６３４ｈは、記録用紙３００のもう一方の側端を、下流リブ６３４ａと同様に、支持する。すなわち、記録用紙３００の側端を支持する下流リブ６３４ａ、６３４ｈのリブ幅は、他の下流リブ６３４ｂ〜６３４ｇのリブ幅より広く形成されている（図８〜図１０参照）。
【００５０】
また、下流リブ６３４ｂ〜６３４ｇでは頂面の中央に吸引孔６３５ｂ〜６３５ｇが形成されているが、下流リブ６３４ａに形成された吸引孔６３５ａは頂面の左側に偏った位置に形成され（図８、図９参照）、吸引孔６３５ｈは頂面の右側に偏った位置に形成されている（図８参照）。すなわち、吸引孔６３５ａ、６３５ｈは、縦溝穴６３２ｂ１、ｂ２から離れるように、記録用紙３００の中央側へ偏った位置に形成されている。
【００５１】
このように、本実施形態に係るプラテン６３は、記録用紙３００の側端を支持する下流リブ６３４ａ、６３４ｈの頂面の幅が他の下流リブ６３４ｂ〜６３４ｇのリブ幅より広く形成され、また、当該下流リブ６３４ａ、６３４ｈに形成された吸引孔６３５ａ、６３５ｈが記録用紙３００の中央側へ偏った位置に形成されている。なお、縦溝穴６３２ｂ３〜ｂ６に並設された下流リブ６３４ｊ、６３４ｋ、６３４ｍ、６３４ｎも、下流リブ６３４ｈと同様に形成されている。
【００５２】
次に、本発明による作用効果について、図１１及び図１２を参照して説明する。
【００５３】
図１１は、図１０に示したプラテン６３（縦溝穴６３２ｂ１から下流リブ６３４ｂにかけての部分）上に記録用紙３００が給送されている状態を示す部分断面図である。図１２は、比較例としてのプラテン１６３（縦溝穴１６３２ｂ１から下流リブ１６３４ｂにかけての部分）上に記録用紙３０１が給送されている状態を示す部分断面図である。
【００５４】
図１２に示すプラテン１６３は、本発明に係るプラテン６３の比較例であって、その基本構成はプラテン６３と同じものであるので、プラテン１６３の構成要素をプラテン６３の構成要素に対応した符号で示し、その説明は省略する。ここで、プラテン１６３は、記録用紙３０１の側端を支持する下流リブ１６３４ａのリブ幅が他の下流リブ（図１２では１６３４ｂのみを示す）と同一で、吸引孔１６３５ａも下流リブ１６３４ａの中央に形成されている点で、本発明のプラテン６３と異なる。
【００５５】
図１１に示す記録用紙３００（図１２に示す記録用紙３０１も以下同様）には、いわゆるコックリングといわれる波打ち形状が生じている。この記録用紙３００の波打ち形状は、プラテン６３の搬送下流側に配設された排紙ローラ５５、５５とギザローラ５６、５６（図５参照）との影響を受ける。例えば、記録用紙３００の山のように反り返った部分の形状（以下、「山形状」という）は、排紙ローラ５５、５５のローラ幅の影響を受けている。このように、コックリングが生じた記録用紙３００は、図１１に示すように、プラテン６３に形成された下流リブ６３４ａ、６３４ｂにより支持され、更に、吸引孔６３５ａ、６３５ｂより吸引を受けるので、記録用紙３００の浮き上がりが防止される。
【００５６】
ここで、下流リブ６３４ａは記録用紙３００の側端を支持しているが、下流リブ６３４ａと記録用紙３００との間に隙間があると、吸引孔６３５ａがインクミストを吸引する虞が生じる。すなわち、図１２に示すプラテン１６３では、下流リブ１６３４ａと記録用紙３０１の裏面との間に隙間があり、インク吸収材１６４の上方を浮遊しているインクミストが吸引孔１６３５ａ側へ吸引され、インクミストが記録用紙３０１の裏面側（下方）に回り込むようになる。このようにして、記録用紙３０１の下方に回り込んだインクミストは、記録用紙３０１の裏面や下流リブ１６３４ａの頂面に付着し、記録用紙３０１の裏面を汚す虞を生じさせる。比較例としてのプラテン１６３は、記録用紙３０１の側端を支持する下流リブ１６３４ａのリブ幅も他の下流リブと同一に形成されているので、下流リブ１６３４ａと記録用紙３０１の裏面との間に隙間が生じやすい。そこで、本発明に係るプラテン６３では、記録用紙３００の側端が自由端となっていることも考慮し、記録用紙３００の側端を支持する下流リブ６３４ａのリブ幅を他の下流リブ６３４ｂ（下流リブ６３４ｃ〜ｇ）より広げることにより、下流リブ６３４ａと記録用紙３００の裏面との間の隙間を排除している（図１１参照）。更に、吸引孔６３５ａによる吸引の影響をできるだけ排除する為に、吸引孔６３５ａを、隣接する縦溝穴６３２ｂ１とは反対側、すなわち、記録用紙３００の中央側へ偏った位置に形成している。これにより、吸引孔６３５ａは、インクミストの吸引をすることなく、記録用紙３００を確実に吸引して記録用紙３００の側端の浮き上がりを防止することが可能である。
【００５７】
なお、本実施形態に係るプラテン６３には、前述したように、記録用紙３００のもう一方の側端を支持する下流リブ６３４ｈ、６３４ｊ、６３４ｋ、６３４ｍ、６３４ｎが形成されているが、当該下流リブ６３４ｈ、６３４ｊ、６３４ｋ、６３４ｍ、６３４ｎも、上記下流リブ６３４ａと同様に、形成されている。
【００５８】
以上、本発明の一の実施形態について説明したが、本発明によれば、媒体（記録用紙３００）を支持し、記録用紙３００の位置を規定するプラテン６３であって、記録用紙３００を支持する面に、複数のリブ（上流リブ６３３ａ〜ｎ、下流リブ６３４ａ〜ｎ）が所定の間隔で配設され、記録用紙３００の側端を支持する下流リブ６３４ａ、６３４ｈ、６３４ｊ、６３４ｋ、６３４ｍ、６３４ｎのリブ幅が、他の下流リブの幅より広く形成されていることを特徴としている。これにより、下流リブ６３４ａ、６３４ｈ、６３４ｊ、６３４ｋ、６３４ｍ、６３４ｎの端部と記録用紙３００の裏面とを当接させて隙間を排除することで、インクミスト等による記録用紙３００の裏面の汚れを回避しつつ、所定の間隔で配設された上流リブ６３３ａ〜ｎ、下流リブ６３４ａ〜ｎによって、記録用紙３００の浮き上がりを防止することが可能である。
【００５９】
また、本発明によれば、媒体（記録用紙３００）にインク滴を吐出する記録ヘッド６２と対向して配設され、記録用紙３００を支持し、記録用紙３００と記録ヘッド６２との隙間を規定するプラテン６３であって、記録ヘッド６２と対向するプラテン面に、記録用紙３００の端部から外れたインク滴を打ち捨てる打ち捨て溝穴６３２が形成され、前記プラテン面に、複数のリブ（上流リブ６３３ａ〜ｎ、下流リブ６３４ａ〜ｎ）が所定の間隔で配設され、記録用紙３００の側端を支持する下流リブ６３４ａ、６３４ｈ、６３４ｊ、６３４ｋ、６３４ｍ、６３４ｎのリブ幅が、他の下流リブのリブ幅より広く形成されていることを特徴としている。これにより、特に縁無し記録を実行中に多く発生するインクミストが、下流リブ６３４ａ、６３４ｈ、６３４ｊ、６３４ｋ、６３４ｍ、６３４ｎと、記録用紙３００の裏面と、の隙間から進入することを防止し、インクミストによる記録用紙３００の裏面の汚れを回避し、且つ、所定の間隔で配設された上流リブ６３３ａ〜ｎ、下流リブ６３４ａ〜ｎによって、記録用紙３００の浮き上がりを防止することが可能である。
【００６０】
また、本発明によれば、下流リブ６３４ａ、６３４ｈ、６３４ｊ、６３４ｋ、６３４ｍ、６３４ｎのリブ幅は、記録用紙３００の波打ち形状に対応していることを特徴としている。これにより、下流リブ６３４ａ、６３４ｈ、６３４ｊ、６３４ｋ、６３４ｍ、６３４ｎと記録用紙３００とを確実に当接させ、記録用紙３００との隙間を排除することが可能である。
【００６１】
また、本発明によれば、媒体を吸引する吸引孔６３５ａ〜ｎが下流リブ６３４ａ〜ｎの頂面に形成され、記録用紙３００の側端を支持する下流リブ６３４ａ、６３４ｈ、６３４ｊ、６３４ｋ、６３４ｍ、６３４ｎは、記録用紙３００の中央側へ偏った位置に吸引孔６３５ａ、６３５ｈ、６３５ｊ、６３５ｋ、６３５ｍ、６３５ｎが形成され、他の下流リブは、頂面の中央に吸引孔６３５が形成されていることを特徴としている。これにより、記録用紙３００は吸引孔６３５ａ〜ｎにより吸引されるので記録用紙３００の浮き上がりを効果的に防止することが可能である。更に、下流リブ６３４ａ、６３４ｈ、６３４ｊ、６３４ｋ、６３４ｍ、６３４ｎには、記録用紙３００の中央側へ偏った位置に吸引孔６３５ａ、６３５ｈ、６３５ｊ、６３５ｋ、６３５ｍ、６３５ｎが形成されているので、インクミストが吸引孔６３５ａ、６３５ｈ、６３５ｊ、６３５ｋ、６３５ｍ、６３５ｎ側へ吸引されるのを防止することが可能である。
【００６２】
また、本発明によれば、吸引孔６３５ａ〜ｎが略等間隔に形成されていることを特徴としている。これにより、記録用紙３００の浮き上がりをより効果的に防止することが可能である。
【００６３】
なお、本発明の範囲は上述した実施形態に限られず、特許請求の範囲の記載に反しない限り、他の様々な実施形態に適用可能である。例えば、本発明の実施形態では、媒体の側端を支持するリブとして、下流リブ６３４ａ、６３４ｈ、６３４ｊ、６３４ｋ、６３４ｍ、６３４ｎが形成されたプラテン６３について説明したが、特にこのような形態に限定されるものではなく、媒体を支持する複数のリブが形成されたプラテンであれば適用が可能である。
【産業上の利用可能性】
【００６４】
媒体を支持する複数のリブが形成されたプラテンを備えていれば、インクジェット式プリンタ１００に制限されることなく、その他の記録装置であっても適用可能である。また、記録装置に限らず、インクに代えてその用途に対応する液体を液体噴射記録ヘッドから被噴射媒体に噴射して液体を被噴射媒体に付着させる液体噴射装置の意味として、例えば、液晶ディスプレイ等のカラーフィルタ製造に用いる色材噴射記録ヘッド、有機ＥＬディスプレイや面発光ディスプレイ（ＦＥＤ）等の電極形成に用いられる電極材（導電ペースト）噴射記録ヘッド、バイオチップ製造に用いられる生体有機物噴射記録ヘッド、精密ピペットとしての試料噴射記録ヘッド等を備えた装置にも適用可能である。
【図面の簡単な説明】
【００６５】
【図１】本発明の一の実施形態に係るインクジェット式プリンタ１００の外観構成の全体を斜め前方から見た斜視図である。
【図２】インクジェット式プリンタ１００の内部構成の概略を示す断面側面図である。
【図３】本発明に係るプラテン６３を中心とした部分を拡大して示す断面側面図である。
【図４】インクジェット式プリンタ１００の前面側からプラテン６３及びその周辺部を見た状態を示す斜視図である。
【図５】プラテン６３及びその周辺部を示す平面図である。
【図６】吸引部６７を示す斜視図である。
【図７】プラテン６３を示す斜視図である。
【図８】プラテン６３を示す平面図である。
【図９】プラテン６３の右側端周辺を示す平面図である。
【図１０】プラテン６３の一部分を示す断面図である。
【図１１】プラテン６３上に記録用紙３００が給送されている状態を示す部分断面図である。
【図１２】プラテン１６３上に記録用紙３０１が給送されている状態を示す部分断面図である。
【符号の説明】
【００６６】
１  ハウジング、２  窓部、３  窓カバー、４  カートリッジ収納部、５  カートリッジカバー、６  タンク収納部、１０  操作部、１１  ボタン、１２  液晶パネル、３０  給紙部、４０  給排紙部、５０  搬送部、５１  サブローラ、５２  従動ローラ、５３  紙送りローラ、５４  従動ローラ、５５  排紙ローラ、５６ギザローラ、６０  記録部、６１  キャリッジ、６２  記録ヘッド、６３、１６３  プラテン、６４、１６４  インク吸収材、６５  廃液トレイ、６６  廃液吸収材、６７  吸引部、６７ａ  吸引装置、６７ｂ  吸引通路、１００  インクジェット式プリンタ、２００  給排紙トレイ、２１０給紙トレイ、２３０  排紙トレイ、３００、３０１  記録用紙、６３０  プラテン本体、６３１  プラテン垂直部、６３２  打ち捨て溝穴、６３２ａ  横溝穴、６３２ｂ１〜６  縦溝穴、６３３ａ〜ｎ  上流リブ、６３４ａ〜ｎ  下流リブ、６３５ａ〜ｎ  吸引孔、６３６  誘導孔、６３９  ミスト吸引孔
【図１】
2006192843.tif 000003
【図２】
2006192843.tif 000004
【図３】
2006192843.tif 000005
【図４】
2006192843.tif 000006
【図５】
2006192843.tif 000007
【図６】
2006192843.tif 000008
【図７】
2006192843.tif 000009
【図８】
2006192843.tif 000010
【図９】
2006192843.tif 000011
【図１０】
2006192843.tif 000012
【図１１】
2006192843.tif 000013
【図１２】
2006192843.tif 000014